(57)【要約】【課題】  連結用ピンが駒から抜脱することを確実に防止する帯状装身具を提供することにある。【解決手段】  連結用ピン２６は、中駒２２に挿通され、中駒同士を帯状装身具の長手方向に連結する。外駒２４は中駒２２を挟むように配設される。この外駒２４は中駒２２にネジ２８により固定され、これにより中駒２２内に挿通された連結用ピン２６を中駒２２内に閉じ込めて抜脱を防いでいる。ネジ２８は、Ｔｉ、Ｎｉ−Ｔｉ、Ｎｉ−Ｔｉ−Ｃｏ、Ｎｉ−Ｔｉ−Ｆｅ又はＮｉ−Ｔｉ−Ｃｒを主成分とする超弾性合金等の超弾性材料によって形成されている。このように、ネジ２８に駒の回動が回転力として伝わらない構造と、外れ難い材質を使用して、ネジをより確実に固定している。【選択図】  図１
2006271478.tif 000002
【特許請求の範囲】
【請求項１】
駒間を連結用ピンの挿通により連結する帯状装身具であって、
前記駒は中駒と該中駒を挟む外駒とからなり、前記中駒に前記連結用ピンを挿通し、前記外駒をネジ止めすることで前記連結用ピンの抜脱を防止して前記駒を連結することを特徴とする帯状装身具。
【請求項２】
前記外駒はネジにより前記中駒にネジ止めされることを特徴とする請求項１記載の帯状装身具。
【請求項３】
前記外駒は少なくとも２つの駒部材からなり、該駒部材がネジにより一体化されることを特徴とする請求項１記載の帯状装身具。
【請求項４】
前記ネジは、手首と接する面の方向から前記駒部材をネジ止めすることを特徴とする請求項３記載の帯状装身具。
【請求項５】
前記ネジは超弾性材料からなることを特徴とする請求項１乃至４のひとつに記載の帯状装身具。
【請求項６】
前記超弾性材料は、チタン（Ｔｉ）、ニッケル・チタン（Ｎｉ−Ｔｉ）、ニッケル・チタン・コバルト（Ｎｉ−Ｔｉ−Ｃｏ）、ニッケル・チタン・鉄（Ｎｉ−Ｔｉ−Ｆｅ）又はニッケル・チタン・クロム（Ｎｉ−Ｔｉ−Ｃｒ）を主成分とする超弾性合金からなることを特徴とする請求項５記載の帯状装身具。
【発明の詳細な説明】
【技術分野】
【０００１】
本発明は、駒を連結用ピンで多数連結してなる時計バンド、ブレスレット等の帯状装身具に関するものであり、特に、連結用ピンが駒から抜脱することを防止する構造を有するものに関する。
【背景技術】
【０００２】
従来より、中駒と、この中駒を挟むように配設された一対の外駒に連結用ピンを連通させることで連結する時計バンド等の帯状装身具は数多く製品化されている。しかしながら、この種の駒連結構造を有する帯状装身具では、使用中の駒の回動や振動等により、連結用ピンが駒から抜脱してしまうことがあった。
【０００３】
そこで、図９に示すように、中駒２、４を挟むように配設される一対の外駒６（一方のみ図示）から側方に突出する連結用ピン８の端部に凹環部８ａを設け、この凹環部８ａを座金１０で止めると共に、カバー１２をネジ１４で外駒６に固定することで座金１０を封じ込めて連結用ピン８の抜脱を防止することが提案されていた（特許文献１参照）。
【０００４】
しかしながら、図９に示す構造では、構造が複雑になると共に部品点数が多くなるという問題があった。
【０００５】
また、図１０に示すように、駒１６のピン挿入孔１６ａに挿入した連結用ピン１８を、ピン挿入孔１６ａの開口部近傍にピン挿入孔１６ａに直交するようにネジ２０を螺着して連結用ピン１８を封じ込める構造も提案されていた（特許文献２参照）。
【０００６】
しかしながら、図１０に示す構造では、使用時の振動等によりネジ２０が外れたり緩むことがあり、その結果、連結用ピン１８が抜脱するという問題があった。
【特許文献１】登録実用新案第３０３３８７３号公報
【特許文献２】実開昭５６−９０１１２号公報
【発明の開示】
【発明が解決しようとする課題】
【０００７】
本発明の課題は、上記問題点を解決し、連結用ピンが駒から抜脱することを確実に防止する帯状装身具を提供することにある。
【課題を解決するための手段】
【０００８】
本発明の帯状装身具は、駒間を連結用ピンの挿通により連結する帯状装身具であって、前記駒は中駒と該中駒を挟む外駒とからなり、前記中駒に前記連結用ピンを挿通し、前記外駒をネジ止めすることで前記連結用ピンの抜脱を防止して前記駒を連結するものである。この帯状装身具における前記外駒はネジにより前記中駒にネジ止めされている。また、一方で、前記外駒は少なくとも２つの駒部材からなり、該駒部材がネジにより一体化されている。この帯状装飾部材における前記ネジは、裏面（手首と接する面）方向から前記駒部材をネジ止めしている。
また、前記ネジは超弾性材料からなる。前記超弾性材料は、チタン（Ｔｉ）、ニッケル・チタン（Ｎｉ−Ｔｉ）、ニッケル・チタン・コバルト（Ｎｉ−Ｔｉ−Ｃｏ）、ニッケル・チタン・鉄（Ｎｉ−Ｔｉ−Ｆｅ）又はニッケル・チタン・クロム（Ｎｉ−Ｔｉ−Ｃｒ）を主成分とする超弾性合金からなる。
【発明の効果】
【０００９】
本発明によれば、外駒を中駒にネジ止めするか又は２つの部材で構成した外駒をネジ止めすることで連結用ピンの抜脱を防止しているので、構造が簡単でありながら確実に連結用ピンの抜脱を防ぐことができる。特に、ネジを超弾性材料で形成しているので、使用中に生じる駒の回動や振動によってネジが緩むことがなく、長時間確実に連結用ピンの抜脱を防ぐことができる。
【発明を実施するための最良の形態】
【００１０】
本発明の帯状装身具における連結用ピンは、中駒に挿通され、中駒同士を帯状装身具の長手方向に連結する。外駒は中駒を挟むように配設される。この外駒は中駒にネジにより固定され、これにより中駒内に挿通された連結用ピンを中駒内に閉じ込めて抜脱を防いでいる。
【００１１】
また、本発明では、外駒を表面側と裏面側の駒部材で構成し、連結用ピンの端部をこの２つの駒部材で挟持し、ネジで２つの駒部材を一体化することで連結用ピンの抜脱を防いでいる。
【実施例１】
【００１２】
図１は本発明の実施例１に係る帯状装身具としての時計バンドの部分切断分解図である。２２はステンレス、チタン又はチタン合金等からなる中駒であり、本実施例においては、バンド長手方向の一方の端部中央に凹状連結部２２ａが形成され、他方の端部中央に凸状連結部２２ｂが形成されている。また、この中駒２２には、凹状連結部２２ａを挟んでバンド幅方向に形成される貫通孔２２ｃと、凸状連結部２２ｂをバンド幅方向に横切るように形成される貫通孔２２ｄが設けられている。また、中駒２２のバンド幅方向の両端面２２ｅには、後述するネジを螺合するためのネジ孔２２ｆがそれぞれ設けられている。
【００１３】
２４はステンレス、チタン又はチタン合金等からなる外駒であり、本実施例においては１つの中駒２２に対して一対の外駒２４が対応している。この外駒２４はバンド幅方向に貫通するネジ取付孔２４ａを有している。このネジ取付孔２４ａは、中駒２２の両端面２２ｅにそれぞれ外駒２４を当接させて中駒２２を一対の外駒２４で挟むように配置したときに、中駒２２のネジ孔２２ｆに連通するように位置付けられている。このネジ取付孔２４ａは、後述するネジよりも短く、ネジが貫通するように設定されている。また、このネジ取付孔２４ａの内部には、ネジの頭部が係止する段部２４ｂが形成されている。
【００１４】
２６は連結用ピンであり、本実施例においては断面が円形をなす丸棒が使用されている。この連結用ピン２６は、中駒２２のバンド幅方向の寸法内に収まるように、その長さが設定されている。
【００１５】
２８はネジであり、超弾性材料で形成されている。この超弾性材料としては、チタン（Ｔｉ）、ニッケル・チタン（Ｎｉ−Ｔｉ）、ニッケル・チタン・コバルト（Ｎｉ−Ｔｉ−Ｃｏ）、ニッケル・チタン・鉄（Ｎｉ−Ｔｉ−Ｆｅ）又はニッケル・チタン・クロム（Ｎｉ−Ｔｉ−Ｃｒ）を主成分とする超弾性合金を用いている。
【００１６】
本実施例における時計バンドでは、中駒２２の凹状連結部２２ａと隣接する中駒２２の凸状連結部２２ｂとを嵌め合せ、連通した貫通孔２２ｃ、２２ｄに連結用ピン２６を挿通させることで中駒２２を連結する。このときに連結用ピン２６は中駒２２内に入り込んだ状態になっており、ここで外駒２４を中駒２２の図中左右から端面２２ｅに当接させる。そして、ネジ２８を外駒２４のネジ取付孔２４ａに挿入し、中駒２２のネジ孔２２ｆに螺合する。これにより外駒２４は中駒２２に固定され、この外駒２４によって中駒２２の貫通孔２２ｃが塞がれて連結用ピン２６を閉じ込めて抜脱を防止している。
【００１７】
本実施例における構造では、中駒２２に外駒２４及びネジ２８が固定されているので、中駒２２の回動が直接回転力として伝わってネジ２８が緩むことはない。また、ネジ２８は超弾性材料で形成されているため、中駒２２や外駒２４に振動等が発生しても、それに追従したり弾性で吸収することになり、ネジ２８が回転して緩むことはない。
【００１８】
また、図２に示すように、中駒２２のバンド幅方向の寸法よりも連結用ピン２６が長くなるように設定し、連結用ピン２６の端部が外駒２４に設けた有底の凹部２４ｃに入るように構成しても良い。この外駒２４の凹部２４ｃは、中駒２２の貫通孔２２ｃに連通するように外駒２４のバンド幅方向の端面に設けられている。このように構成すると、中駒２２と外駒２４が連結用ピン２６とネジ２８の２点で連結されるため、外駒２４がネジ２８を中心として回転することを防ぐことができ、ネジ２８の取り付け又は取り外し作業がし易くなる。
【実施例２】
【００１９】
図３は本発明の実施例２に係る帯状装身具としての時計バンドの部分切断平面図、図４は図３に示す外駒及びネジの分解平面図、図５は図４に示す外駒及びネジの側面図、図６は図３に示す外駒をバンド幅方向に切断した断面図、図７は図３に示す外駒をバンド長手方向に切断した断面図である。尚、図３は時計バンドの裏面側を図示している。
【００２０】
３２はステンレス、チタン又はチタン合金等からなる中駒であり、バンド幅方向に形成された２本の貫通孔３２ａ、３２ｂを有している。３６は連結用ピンであり、中駒３２の貫通孔３２ａ、３２ｂにそれぞれ挿通され、その端部が貫通孔３２ａ、３２ｂの開口部からバンド幅方向外方へ突出するものとなっている。この連結用ピン３６の端部には、径小部３６ａとこれより径大となる先端部３６ｂが設けられている。
【００２１】
３４はステンレス、チタン又はチタン合金等からなる外駒であり、本実施例においては表面（視認できる）側を形成する駒部材３４Ａと、裏面（手首と接する）側を形成する駒部材３４Ｂとから構成されている。駒部材３４Ａは、板状部３４ａと、そのバンド幅方向の外方端から裏面方向（図５において上方）へ垂設された外壁部３４ｂを有している。また、駒部材３４Ｂは、駒部材３４Ａの板状部３４ａに重ねると直方体を形成するように側壁部３４ｂの高さや幅等に合わせて各寸法が設定された板状部材からなる。駒部材３４Ａの板状部３４ａと駒部材３４Ｂとの対向面には、向かい合わせることにより連結用ピン３６の径小部３６ａ及び先端部３６ｂに適合する空間を形成する径小凹部３４ｃ、３４ｄと径大凹部３４ｅ、３４ｆがそれぞれ対応する位置に形成されている。また、径小凹部３４ｃ、３４ｄは、中駒３２に対面する端面側に開口するように形成されている。一方、駒部材３４Ｂの平面中央には、ネジ３８を取り付けるネジ取付孔３４ｇが設けられており、また、駒部材３４Ａの板状部３４ａのネジ取付孔３４ｇに対応する位置にはネジ孔３４ｈが設けられている。
【００２２】
ネジ３８は、実施例１と同様に超弾性材料で形成されており、本実施例における超弾性材料は、チタン（Ｔｉ）、ニッケル・チタン（Ｎｉ−Ｔｉ）、ニッケル・チタン・コバルト（Ｎｉ−Ｔｉ−Ｃｏ）、ニッケル・チタン・鉄（Ｎｉ−Ｔｉ−Ｆｅ）又はニッケル・チタン・クロム（Ｎｉ−Ｔｉ−Ｃｒ）を主成分とする超弾性合金からなる。
【００２３】
本実施例における時計バンドでは、中駒３２の貫通孔３２ａ、３２ｂに連通用ピン３６を通し、隣接する中駒３２からそれぞれ突出している連結用ピン３６の端部に外駒３４を取り付ける。このときに、連結用ピン３６の端部をバンド表裏方向から駒部材３４Ａ、３４Ｂで挟み込む。外駒３４の駒部材３４Ａ、３４Ｂには連結用ピン３６の端部にある径小部３６ａと先端部３６ｂに適合する径小凹部３４ｃ、３４ｄと径大凹部３４ｅ、３４ｆが設けられているので、連結用ピン３６の端部が径小凹部３４ｃ、３４ｄと径大凹部３４ｅ
、３４ｆにより形成される空間内に収まった状態で駒部材３４Ａ、３４Ｂが適合する。駒部材３４Ａ、３４Ｂ間に連結用ピン３６の端部が収まると、径小凹部３４ｃ、３４ｄの開口部分を連結用ピン３６の本体及び先端部３６ｂが通過できなくなり、外駒３４から連結用ピン３６が抜脱しない状態になる。ここで、ネジ３８を駒部材３４Ｂのネジ取付孔３４ｇから取り付けて駒部材３４Ａのネジ孔３４ｈに螺合し、駒部材３４Ａ、３４Ｂを一体化する。
【００２４】
この構造において、ネジ３８には、駒の回動が直接回転力として伝わらず、駒の動きでネジ３８が緩むことはない。また、このネジ３８も、実施例１と同様に、超弾性材料で形成されているため、外駒３４に振動等が発生しても、それに追従あるいは吸収してネジ３８が緩むことはない。
【００２５】
図８は図６に示す連結用ピン３６の端部形状をより簡素化することを可能にした連結用ピン３６の変更例を示す断面図である。この外駒３４においては、駒部材３４Ａ、３４Ｂに連結用ピン３６の径と同一又はわずかに大きい径からなる凹部３４ｉ、３４ｊを向き合うように設けている。この凹部３４ｉ、３４ｊは、中駒３２に面するバンド幅方向の端面側に開口しており、その一方の開口部（本実施例では凹部３４ｊの開口部）内に突出部３４ｋを設けている。一方、連結用ピン３６は、その端部外周に凹部３６ｃを有しており、この凹部３６ｃと駒部材３４Ｂの突出部３４ｋとが係合することで連結用ピン３６が抜脱できない状態になる。このように構成すると、連結用ピン３６の先端は、ほぼその本体と同形状で良いことになり、連結用ピン３６並びに駒部材３４Ａ、３４Ｂの凹部の形状をより簡素な形状にすることができる。
【００２６】
尚、実施例１における外駒２４の一方を中駒２２に予め固定したり、実施例２における外駒３４の一方に連結用ピン３６を圧入等により予め固定しておくことにより、他方の外駒２４、３６を取り付けるだけで連結用ピン２６、３６の抜脱を防止することができるようになる。この場合、固定側の外駒２４、３６を、ネジ２８、３８を必要としない簡素な構造にしても良い。
ところで、駒部材３４Ａを裏面（手首と接する）側に、駒部材３４Ｂを表面（視認できる）側とし、ネジを表面側に見せるようにしてもよいことは言うまでもない。その際、ネジの頭の表面状態と駒部材３４Ｂの表面状態を同一にすることで外観が向上する。
【産業上の利用可能性】
【００２７】
本発明の帯状装身具は、実施例に示すように時計バンドとして使用することができるだけでなく、ブレスレット等の装身具として用いることができる。特に、実施例２のように、ネジを裏面側に配置する構造は、表面及び側面にネジが現われず、デザインが重視される装身具に適している。
【図面の簡単な説明】
【００２８】
【図１】本発明の実施例１に係る帯状装身具としての時計バンドの部分切断分解図である。
【図２】図１に示す時計バンドの一部変更例を示す部分切断分解図である。
【図３】本発明の実施例２に係る帯状装身具としての時計バンドの部分切断平面図である。
【図４】図３に示す外駒及びネジの分解平面図である。
【図５】図４に示す外駒及びネジの側面図である。
【図６】図３に示す外駒をバンド幅方向に切断した断面図である。
【図７】図３に示す外駒をバンド長手方向に切断した断面図である。
【図８】図６に示す連結用ピンの端部形状をより簡素化することを可能にした外駒の変更例を示す断面図である。
【図９】従来の時計バンドの構造を示す断面図である。
【図１０】従来の他の時計バンドの構造を示す断面図である。
【符号の説明】
【００２９】
２、４      中駒
６          外駒
８、１８    連結用ピン
８ａ        凹環部
１０        座金
１２        カバー
１４、２０  ネジ
１６        駒
１６ａ      ピン挿入孔
２２        中駒
２２ａ      凹状連結部
２２ｂ      凸状連結部
２２ｃ、２２ｄ  貫通孔
２２ｅ      端面
２２ｆ      ネジ孔
２４        外駒
２４ａ      ネジ取付孔
２４ｂ      段部
２４ｃ      凹部
２６        連結用ピン
２８        ネジ
３２        中駒
３２ａ、３２ｂ  貫通孔
３４        外駒
３４Ａ、３４Ｂ  駒部材
３４ａ      板状部
３４ｂ      側壁部
３４ｃ、３４ｄ  径小凹部
３４ｅ、３４ｆ  径大凹部
３４ｇ      ネジ取付孔
３４ｈ      ネジ孔
３４ｉ、３４ｊ  凹部
３４ｋ      突出部
３６        連結用ピン
３６ａ      径小部
３６ｂ      先端部
３６ｃ      凹部
３８        ネジ
【図１】
2006271478.tif 000003
【図２】
2006271478.tif 000004
【図３】
2006271478.tif 000005
【図４】
2006271478.tif 000006
【図５】
2006271478.tif 000007
【図６】
2006271478.tif 000008
【図７】
2006271478.tif 000009
【図８】
2006271478.tif 000010
【図９】
2006271478.tif 000011
【図１０】
2006271478.tif 000012